(57)【要約】【課題】、本願出願人による、先行考案を更に発展させて、空気浄化機能や芳香発生機能も併せ備えた照明具を提供する。【解決手段】電源接続用のプラグ部に、電球取付用のソケット部を組付けた本体と、電球に覆い被せる照明灯カバーと、照明灯カバーをソケット部に固定させる為のカバー固定手段とを備えており、  照明灯カバーの下部と上部には、その内空部に上昇気流を生じさせる為の、大気と連通する通気孔を設け、照明灯カバーには、光エネルギーの助けを借りて有機物を分解させる性質を有する光触媒の被覆層を設けたことを特徴とする。  光触媒として酸化チタンを用い、照明灯カバーは陶磁器製にするとよい。  カバー固定手段は、デザインが夫々異なる複数種類の照明灯カバーと取替え可能に構成するとよい。  照明灯カバーの上端面に設けた通気孔に、芳香剤を入れた蒸散用容器を嵌着させる様にしてもよい。【選択図】図１
0003106748.tif 000002
【実用新案登録請求の範囲】
【請求項１】
電源接続用のプラグ部に、電球取付用のソケット部を組付けた本体と、電球に覆い被せる照明灯カバーと、照明灯カバーをソケット部に固定させる為のカバー固定手段とを備えており、
照明灯カバーの下部と上部には、その内空部に上昇気流を生じさせる為の、大気と連通する通気孔を設け、
且つ、照明灯カバーには、光エネルギーの助けを借りて有機物を分解させる性質を有する光触媒の被覆層を設けたことを特徴とする空気浄化機能等を備えた照明具。
【請求項２】
前記光触媒は、酸化チタンの類であることを特徴とする請求項１記載の空気浄化機能等を備えた照明具
【請求項３】
照明灯カバーが陶磁器製であることを特徴とする請求項１記載の空気浄化機能等を備えた照明具。
【請求項４】
カバー固定手段は、デザインが夫々異なる複数種類の照明灯カバーの相互間で取替え可能に構成されていることを特徴とする請求項１記載の空気浄化機能等を備えた照明具。
【請求項５】
カバー固定手段は、ソケット部に係脱自在に外嵌させるリング状体と、照明灯カバーを貫通してリング状体に螺じ込むビスとを備えることを特徴とする請求項１記載の空気浄化機能等を備えた照明具。
【請求項６】
照明灯カバーは、切り株等の樹木の形態を模してデザインされていることを特徴とする請求項１記載の空気浄化機能等を備えた照明具。  
【請求項７】
照明灯カバーの上端面に設けた通気孔に、芳香剤を入れた蒸散用容器を嵌着させたことを特徴とする請求項１記載の空気浄化機能等を備えた照明具。
【考案の詳細な説明】
【技術分野】
【０００１】
本考案は、電球取付用のソケット部と、電源接続用のプラグ部とを一体化させたタイプのものに就いて、照明機能の他に、空気浄化等の付随的な機能も併せ備える様に改良された照明具に関する。
【背景技術】
【０００２】
上記の、ソケット部とプラグ部とを一体化させて、電源コードを不要化したタイプの常夜灯はかなり以前から商品化されており、邪魔で目障りな電源コードを無くした分、使い勝手がすこぶる良いし、消費電力も僅かで足りるので、就寝後に屋内を必要最小限度に照らす安全灯として、便利に使われている。
【０００３】
然しながら、あらゆる電化製品が、より付加価値を高めた製品を提供すべく競い合っている昨今、常夜灯も、単に省エネ性が優れる、だけの特徴に満足してはいられない。
そこで、本願考案者は、先に、“芳香発散機能付きの常夜灯”を創案し、実用新案権を取得済みである。
【０００４】
この“芳香発散機能付常夜灯”は、電球取付用のソケットに外嵌させた、ほぼ円筒形にデザインされた照明灯カバーの開放上端を、受皿状の芳香剤容器で塞いでいる。
常夜灯に点灯すると、電球の直上に位置する芳香剤容器が適度に熱せられるに連れて、適量の芳香剤が少しづつ室内に蒸散して行くことなる。
【０００５】
【特許文献１】実用新案登録  第３０３２８８３号
【考案の開示】
【考案が解決しようとする課題】
【０００６】
ところで、人口に占める高齢者の比率が年々増加し続けている世情に鑑みて考えれば、殊に、寝たきり老人の居室に就いては、積極的に室内環境の改善を図ることが、看護者の立場からしても望まれる。例えば、病室に特有の臭いや、健康に悪影響を及ぼす病原菌類の防除対策等である。
この様な室内環境の浄化対策は、勿論、健常者にとっても望ましいことである。
【０００７】
この様な観点からして、本願考案者は、偶々、“酸化チタン”なる物質が、光エネルギーの助けを借りて有機物を分解させる光触媒としての機能を備えており、この性質を、様々な分野で、環境浄化に役立てられる旨の情報に着目した。
【０００８】
そこで、本考案の目的は、上記の先行考案「実用新案登録第３０３２８８３号」を更に発展させて、この光触媒を活用することによって空気浄化機能も併せ備える様に工夫された照明具を提供するにある。
【課題を解決するための手段】
【０００９】
上記の目的を達成する為の、本考案による空気浄化機能等を備えた照明具は、
電源接続用のプラグ部に、電球取付用のソケット部を組付けた本体と、電球に覆い被せる照明灯カバーと、照明灯カバーをソケット部に固定させる為のカバー固定手段とを備えており、
照明灯カバーの下部と上部には、その内空部に上昇気流を生じさせる為の、大気と連通する通気孔を設け、
且つ、照明灯カバーには、光エネルギーの助けを借りて有機物を分解させる性質を有する光触媒の被覆層を設けたことを特徴とする。
そして、光触媒としては、酸化チタンの類を用いるとよい。
又、照明灯カバーを陶磁器製にするとよい。
カバー固定手段は、デザインが夫々異なる複数種類の照明灯カバーの相互間で取替え可能に構成するとよい。
例えば、カバー固定手段は、ソケット部に係脱自在に外嵌させるリング状体と、照明灯カバーを貫通してリング状体に螺じ込むビスとで構成するとよい。
照明灯カバーは、例えば、切り株等の樹木の形態を模したデザインにするとよい。
或いは、照明灯カバーの上端面に設けた通気孔に、芳香剤を入れた蒸散用容器を嵌着させてもよい。
【考案の効果】
【００１０】
本考案による照明具は、以下に列挙した如き実用上の優れた特長を備えている。
（ａ）点灯して電球が発熱すると、照明灯カバーの内空部に生じた上昇気流により、室内の空気が、内空部にその下方から吸い込まれたうえ、上方から室内に戻されるという循環気流が室内に形成される。
（ｂ）この上昇気流が、照明灯カバーの表面に触れると、空気中の有臭物質や病原菌等の有害な有機物が、電球の光を受けて活性化した光触媒により、分解し消失させられる。
（ｃ）照明具が常夜灯であれば、少ない電力で、夜間の安全確保と併せて、汚れた室内空気の浄化も効率良く行ってくれる。
（ｄ）従って、殊に、長期病臥者の居室等で使用するには最適である。
（ｅ）照明灯カバーを陶磁器製にすれば、その製作技法の特性をフルに活用して、コスト上昇を抑えながら、魅力的な多様なデザインを創作することが出来る。
（ｆ）カバー固定手段により着脱自在に照明灯カバーは、季節や、気分の移り変わり応じて、異なったデザインのものに簡単に取替えられる。
その一例として、照明灯カバーを、切り株等の樹木の形態を模したデザインにするとよい。
（ｇ）照明灯カバーの頂面の通気孔の１つに、芳香剤を入れた蒸散用容器を嵌着させて置けば、電球の発熱に伴って、適量の芳香剤を室内に漂わせることが出来る。
【考案を実施するための最良の形態】
【００１１】
以下に、本考案の第１実施例に就いて、図１〜図３を参照しながら説明する。
図１は、この実施例の照明具１０１の部分破断側面図、図２は、照明具１０１の本体Ａと、カバー固定手段Ｃとの各斜視図、図３は、上端部の形態が夫々異なる、３種類の照明灯カバーを示した各部分縦断面図である。
【００１２】
照明具１０１は、図１に示した様に、電源コンセント（図示略）に接続させるプラグ部１０と、電球３０を取付けるソケット部２０とを一体化させた本体Ａと、電球３０に覆い被せる為の照明灯カバーＢと、照明灯カバーＢをソケット部２０に着脱自在に固定させる為のカバー固定手段Ｃとを備えている。
【００１３】
更に、照明灯カバーＢの表面には、光エネルギーの照射を受けて化学的に活性化し、有機物を分解させる性質を有する、光触媒Ｄの被覆層を設けている。
次に、上記各構成部材の、具体的な形態に就いて順次説明する。
【００１４】
先ず、プラグ部１０は、ほぼ矩形ブロック状に形成されたプラスチック製のケーシングを備えており、その外側面には、プラグ１１と、内蔵する電源スイッチの操作ノブ１２とを突出させている。
【００１５】
プラグ部１０の上面に一体に突設した、プラスチック製のソケット部２０は、ほぼ円筒形に形成されており、図２に示した様に、その外周面の下部に、複数箇の小突起２１を周方向に所定間隔を隔てて外向きに突設している。
【００１６】
この実施例の照明灯カバーＢは磁器製で、周知の技法によって、図１に示した様に、樹木の切り株に類する形状と色調を模したデザインにしている。
全体としてほぼ円筒形の照明灯カバーＢは、その下端が開放されており、且つ、下端部は、樹木の根元部分の形態を模した裾広がり形状にしている。
【００１７】
照明灯カバーＢの上端は閉ざされており、この上端面３１には、図３の（ａ）に示した様に、真ん中部分に比較的大きな上部通気孔３２を設け、その外周りには、比較的小さな上部通気孔３３を複数箇所に設けている。
又、照明灯カバーＢの周壁面の下端近くには、ビス４２を差し通す為のビス孔３４を設けている。
【００１８】
更に、照明灯カバーＢの上端面３１に設けた、比較的大きな上部通気孔３２には、図３の（ｂ）に示した様に、貯留した芳香剤を電球３０の発生熱により蒸散させる為の、受皿状の蒸散用容器Ｅを、着脱自在に嵌着させる様にしてもよい。
或いは、図３の（ｃ）に示した様に、照明灯カバーＢの上端面３１の真ん中部分を窪ませることにより、受皿状の蒸散用容器Ｇを形成させてもよい。
【００１９】
そして、照明灯カバーＢの内側面には、その全面に、光エネルギーを受けることにより化学的に活性化して、有機物を分解させる性質を有する光触媒Ｄ、この実施例では、「酸化チタン」の被覆層を設けている。
【００２０】
上記の光触媒Ｄとしては、「酸化チタン」以外にも、その触媒作用は劣るものの、複数種類の物質が既に発見されている。
尚、照明灯カバーＢが透光性材料で作られている場合には、光触媒Ｄの被覆層を、その外側面にも設けるとよい。
【００２１】
次に、この実施例のカバー固定手段Ｃは、図１に示した様に、ソケット部２０に外嵌させるリング状体４１と、照明灯カバーＢに設けたビス孔３４を貫通してリング状体４１の外側面に螺じ込ませる、ビス４２とで構成されている。
【００２２】
リング状体４１はプラスチック製で、その内径は、ソケット部２０に緊密に外嵌させ得る寸法としている。
リング状体４１の外径は、図１に示した様に、照明灯カバーＢの下方部の内径より、所定寸法だけ小さくしている。
【００２３】
但し、リング状体４１の外周面の１個所には、照明灯カバーＢの内周面に当接させる為の小突部４１ａを設けている。
この小突部４１ａには、ビス４２を螺じ込ませる為の螺孔を設けている。
これによって、照明灯カバーＢを、カバー固定手段Ｃを用いて、図１に示した様に、ソケット部２０に嵌着させた状態で、照明灯カバーＢの下端部内周面と、リング状体４１の外周面との間には、リング状の下部通気孔３５が形成される。
【００２４】
尚、リング状体４１の下面側には、ソケット部２０の外周面に突設した複数個の小突起２１の夫々に係脱させる為の、楔状の掛止用突部（図示略）を、所定間隔を隔てた複数箇所に設けている。
この楔状の掛止用突部と、小突起２１とは、リング状体４１を正方向に回動させることにより互いに係合されて、リング状体４１を固定させ、逆方向に回動させると、固定が解かれる様になっている。
【００２５】
次に、照明具１０１の組立方の一例に就いて説明する。
先ず、ソケット部２０にリング状体４１を外嵌させたうえ、上記の如くして、この外嵌状態を固定させる。
次いで、ソケット部２０に、電球３０を螺じ込む。
【００２６】
然かる後、ソケット部２０に、照明灯カバーＢの下端部を覆い被せたうえ、そのビス孔３４に差し込んだビス４２を、リング状体４１の小突部４１ａに設けた螺孔に螺じ込めば、照明具１０１の組立は、簡単・迅速に終わる。
【００２７】
次に、照明具１０１の機能に就いて、図１を参照しながら説明する。
電源スイッチの操作ノブ１２によって、電球３０を点灯させると、柔らかで控え目の照明光が、上下の通気孔３２、３３、３５を通して、或いは、照明灯カバーＢの周壁面を通して、室内に照射される。
【００２８】
そして、電球３０が次第に暖まって来ると、照明灯カバーＢの内空部には、上昇気流が生ずる。
その為、図１中に符号Ｆを付して矢示した様に、室内の汚れた空気が、照明灯カバーＢの下部通気孔３５から、照明灯カバーＢの内空部に吸い込まれたうえ、上部通気孔３２、３３を通過して室内に戻されるという、室内空間と照明灯カバーＢの内空部とを結ぶ、循環気流が形成される。
【００２９】
一方、照明灯カバーＢの内周面の全面に被覆状態で施してある光触媒Ｄは、電球３０の光の照射を受けることによって、化学的に活性化する。
その為、上記の循環気流中に、アンモニアやアミン化合物等の有臭の空気汚染物が含まれていれば、光触媒Ｄと反復接触するこによって、次第に無臭物質に分解されてしまう。
【００３０】
又、黄色ブドウ球菌や大腸菌等の病原菌類は、光触媒Ｄの働きによって死滅してしまう。
「酸化チタン」に代表される光触媒の、この様な有機物を分解させる機能に就いては、既に、多くの技術文献等を通じて知られているところである。
【００３１】
そして、照明灯カバーＢの上端面３１に、芳香剤の蒸散用容器Ｅ又はＧを組付けた場合には、その中に貯留した芳香剤が、電球３０の発生熱によって適量づつ蒸散し、室内に芳香を漂わせる。
蒸散用容器Ｅ又はＧから蒸散した芳香剤は、室内の循環気流に乗って照明灯カバーＢの下部通気孔３５に至る迄の間は、光触媒Ｄと接触することは無く、従って、上記の如く分解されてしまうことは無い。 
【００３２】
次に、本考案の第２実施例に就いて、図４及び図５を参照しながら説明する。
この実施例の照明具１０２が、第１実施例の照明具１０１と異なる点は、照明灯カバーＢのデザインと、カバー固定手段Ｃの構成にある。
照明具１０２の、空気浄化機能に関しては、照明具１０１のそれと、基本的には同じである。
【００３３】
照明具１０２の照明灯カバーＢは、“ビール樽”に類する形状にデザインされている。
その側壁面の１個所には、透光窓５１を刳抜状に設けている。又、上端面３１には、比較的小さな上部通気孔３２を散在状に設けている。
又、照明灯カバーＢの周壁の下端近くには、複数の下部通気孔３５を巡らしている。
【００３４】
この実施例のカバー固定手段Ｃは、図４に示した様に、弾力性の有るプラスチック乃至はゴム製の円環板状のパッキン材５２から成る。
パッキン材５２の内径は、ソケット部２０に緊密に外嵌させ得るサイズに設定し、外径は、照明灯カバーＢの内径より幾分大きくしている。
【００３５】
照明灯カバーＢを、図４に示した状態で、ソケット部２０に固定させるには、先ず、パッキン材５２を、ソケット部２０に上方から外嵌して、その中間高さ位置に固定させる。その際に、透光窓５１の向きは、任意に決めればよい。
【００３６】
然かる後、照明灯カバーＢをソケット部２０に覆い被せて、その下側端をパッキン材５２に強制的に押し付ける。
すると、パッキン材５２は、図４に示した様に、“皿バネ座金”状に変形し、その弾撥力によって照明灯カバーＢが固定される。
【００３７】
照明具１０２の空気浄化機能は、照明具１０１のそれとほぼ同じなので、重複説明は省く。
【図面の簡単な説明】
【００３８】
【図１】本考案の第１実施例を示すもので、照明具の部分破断側面図である。
【図２】同上、照明具の本体及びカバー固定手段の各斜視図である。
【図３】同上、照明灯カバーＢの上端部の形状に就いての、３つの変形例を示した各部分縦断面図である。
【図４】本考案の第２実施例を示すもので、照明具を一部縦断面で示した側面図である。
【図５】同上、照明具の斜視図である。
【符号の説明】
【００３９】
１０１、１０２  照明具
Ａ  本体
Ｂ  照明灯カバー
Ｃ  カバー固定手段
Ｄ  光触媒
Ｅ，Ｇ  芳香剤の蒸散用容器
１０  プラグ部
１１  プラグ
１２  操作ノブ
２０  ソケット部
２１  小突起
３０  電球
３１  上端面
３２，３３  上部通気孔
３４  ビス孔
３５  下部通気孔
４１  リング状体
４１ａ  小突部
４２  ビス  
５１  透光窓
５２  パッキン材（カバー固定手段）
【図１】
0003106748.tif 000003
【図２】
0003106748.tif 000004
【図３】
0003106748.tif 000005
【図４】
0003106748.tif 000006
【図５】
0003106748.tif 000007